(57)【特許請求の範囲】
【請求項１】
耕耘作業をする耕耘手段と、
この耕耘手段の後方を覆う整地体を有する覆い手段と、
この覆い手段の前記整地体に固定された土付着防止部材と、
この土付着防止部材の固定に用いられた固定部材とを備え、
前記土付着防止部材は、
折り曲げにより形成された折曲板部と、
この折曲板部と対向して重なって位置する対向板部と、
前記折曲板部および前記対向板部に形成された孔部とを上端側に有し、
前記固定部材は、前記土付着防止部材の前記孔部に挿入され、前記土付着防止部材の前記耕耘手段側の面から突出していない
ことを特徴とする農作業機。
【請求項２】
土付着防止部材の折曲板部は、対向板部と覆い手段との間に位置する
ことを特徴とする請求項１記載の農作業機。
【請求項３】
耕耘作業をする耕耘手段と、
この耕耘手段の後方を覆う整地体を有する覆い手段と、
この覆い手段の前記整地体に固定された土付着防止部材と、
この土付着防止部材の固定に用いられた固定部材とを備え、
前記土付着防止部材は、
折り曲げにより形成された折曲板部と、
この折曲板部と対向して位置する対向板部と、
前記折曲板部および前記対向板部に形成された孔部とを上端側に有し、
前記孔部は、前記対向板部に形成された外孔と、前記折曲板部に前記外孔よりも小さく形成された内孔とを有し、
前記固定部材は、前記土付着防止部材の前記孔部に挿入され、前記土付着防止部材の前記耕耘手段側の面から突出していない
ことを特徴とする農作業機。
【請求項４】
土付着防止部材の折曲板部のうち内孔の周囲に位置する孔周囲部分が、固定部材によって覆い手段に固定されている
ことを特徴とする請求項３記載の農作業機。
【請求項５】
覆い手段と土付着防止部材との間には、前記土付着防止部材の折曲板部の厚さ寸法に対応した大きさの隙間が存在する
ことを特徴とする請求項１ないし４のいずれか一記載の農作業機。
【発明の詳細な説明】
【技術分野】
【０００１】
本発明は、土の付着を抑制できる農作業機に関するものである。
【背景技術】
【０００２】
従来、例えば下記の特許文献１に記載された農作業機が知られている。
【０００３】
この従来の農作業機は、耕耘作業をする耕耘手段と、この耕耘手段を覆う覆い手段と、この覆い手段に解除可能に固定された土付着防止部材（ステンレス鋼板）とを備えている。
【０００４】
そして、図１８に示すように、土付着防止部材１は、耕耘手段（図示せず）の後方を覆う整地体２に、ボルト３、ナット４およびワッシャ５によって固定されている。
【０００５】
この土付着防止部材１の固定に用いられた固定部材であるボルト３は、六角状の頭部3aを有し、この頭部3aが土付着防止部材１の耕耘手段側の面から突出している。
【先行技術文献】
【特許文献】
【０００６】
【特許文献１】特開２０１４−３９４８８号公報（図３）
【発明の概要】
【発明が解決しようとする課題】
【０００７】
しかしながら、上記従来の農作業機では、ボルト３の頭部3aが土付着防止部材１の耕耘手段側の面から突出しているため、土がボルト３の頭部3aに付着して成長しやすく、また、その土を鎌等の道具７を用いて除去する際には、ボルト３の頭部3aが邪魔で土除去作業がやりにくい。
【０００８】
本発明は、このような点に鑑みなされたもので、土の付着を抑制できる農作業機を提供することを目的とする。
【課題を解決するための手段】
【０００９】
請求項１記載の農作業機は、耕耘作業をする耕耘手段と、この耕耘手段の後方を覆う整地体を有する覆い手段と、この覆い手段の前記整地体に固定された土付着防止部材と、この土付着防止部材の固定に用いられた固定部材とを備え、前記土付着防止部材は、折り曲げにより形成された折曲板部と、この折曲板部と対向して重なって位置する対向板部と、前記折曲板部および前記対向板部に形成された孔部とを上端側に有し、前記固定部材は、前記土付着防止部材の前記孔部に挿入され、前記土付着防止部材の前記耕耘手段側の面から突出していないものである。
【００１０】
請求項２記載の農作業機は、請求項１記載の農作業機において、土付着防止部材の折曲板部は、対向板部と覆い手段との間に位置するものである。
【００１１】
請求項３記載の農作業機は、耕耘作業をする耕耘手段と、この耕耘手段の後方を覆う整地体を有する覆い手段と、この覆い手段の前記整地体に固定された土付着防止部材と、この土付着防止部材の固定に用いられた固定部材とを備え、前記土付着防止部材は、折り曲げにより形成された折曲板部と、この折曲板部と対向して位置する対向板部と、前記折曲板部および前記対向板部に形成された孔部とを上端側に有し、前記孔部は、前記対向板部に形成された外孔と、前記折曲板部に前記外孔よりも小さく形成された内孔とを有し、前記固定部材は、前記土付着防止部材の前記孔部に挿入され、前記土付着防止部材の前記耕耘手段側の面から突出していないものである。
【００１２】
請求項４記載の農作業機は、請求項３記載の農作業機において、土付着防止部材の折曲板部のうち内孔の周囲に位置する孔周囲部分が、固定部材によって覆い手段に固定されているものである。
【００１３】
請求項５記載の農作業機は、請求項１ないし４のいずれか一記載の農作業機において、覆い手段と土付着防止部材との間には、前記土付着防止部材の折曲板部の厚さ寸法に対応した大きさの隙間が存在するものである。
【発明の効果】
【００１４】
本発明によれば、固定部材が土付着防止部材の耕耘手段側の面から突出していないので、土の付着を抑制でき、また、土が土付着防止部材の耕耘手段側の面に付着しても容易に除去できる。
【図面の簡単な説明】
【００１５】
【図１】本発明の第１の実施の形態に係る農作業機の側面図である。
【図２】同上農作業機の覆い手段のカバー体の側面視断面図である。
【図３】同上農作業機の覆い手段の整地体の側面視断面図である。
【図４】同上農作業機の土付着防止部材（ステンレス板）の部分正面図である。
【図５】図４におけるＡ−Ａ断面図である。
【図６】図４におけるＡ−Ａ断面斜視図である。
【図７】同上農作業機の作用説明図である。
【図８】本発明の第２の実施の形態に係る農作業機の部分断面図である。
【図９】同上部分の断面斜視図である。
【図１０】本発明の第３の実施の形態に係る農作業機の部分断面図である。
【図１１】同上部分の断面斜視図である。
【図１２】本発明の第４の実施の形態に係る農作業機の部分断面図である。
【図１３】同上部分の断面斜視図である。
【図１４】本発明の第５の実施の形態に係る農作業機の部分断面図である。
【図１５】同上部分の断面斜視図である。
【図１６】本発明の第６の実施の形態に係る農作業機の部分断面図である。
【図１７】同上部分の断面斜視図である。
【図１８】従来の農作業機の部分断面図である。
【発明を実施するための形態】
【００１６】
本発明の第１の実施の形態について、図１ないし図７を参照して説明する。
【００１７】
図１において、11は農作業機で、この農作業機11は、例えば走行車であるトラクタ（図示せず）の後部に連結され、そのトラクタの前進走行により圃場を進行方向である前方に移動しながら農作業（耕耘整地作業等）をする牽引式のロータリー作業機である。
【００１８】
農作業機11は、トラクタの後部の３点リンク部に脱着可能に連結された機体12と、この機体12に回転可能に設けられ所定方向に回転しながら耕耘作業をする耕耘手段13と、この耕耘手段13を覆う覆い手段14とを備えている。
【００１９】
機体12は、前後方向の入力軸16を回転可能に支持するミッションケース17を左右方向中央部に有している。入力軸16は、トラクタのＰＴＯ軸にジョイントを介して接続され、トラクタ側からの動力を農作業機11側に入力し、この入力された動力に基づいて耕耘手段13が回転する。
【００２０】
ミッションケース17の左右の側面部には、左右方向長手状のフレームパイプ18の内端部がそれぞれ取り付けられている。左側のフレームパイプ18の外端部である左端部には、伝動ケース部であるチェーンケース19の上部が取り付けられている。一方、右側のフレームパイプ18の外端部である右端部には、板状のブラケット（図示せず）の上部が取り付けられている。
【００２１】
そして、チェーンケース19の下部とブラケットの下部との間には、所定の回転方向（例えばダウンカット方向）に回転しながら耕耘作業をする耕耘手段13が架設されている。
【００２２】
耕耘手段13は、入力軸16側からの動力で回転する左右方向長手状の回転軸である耕耘軸21と、この耕耘軸21に取り付けられこの耕耘軸21とともに回転しながら耕耘作業をする複数の耕耘爪22とを有している。
【００２３】
覆い手段14は、耕耘手段13の上方を覆う左右方向長手状で板状のカバー体（上方覆い部）23と、耕耘手段13の側方を覆う板状の左右１対の側方カバー体（側方覆い部）24と、耕耘手段13の後方を覆い、耕耘手段13の後方で整地作業をする左右方向長手状で板状の整地体（後方覆い部）25とを有している。
【００２４】
カバー体23は、チェーンケース19およびブラケット間に固設されている。カバー体23は、図２に示されるように、左右方向に細長い板状で耕耘手段13の上方を覆うカバー部であるカバー本体板部27を有している。このカバー本体板部27の前後端部には、左右方向に間隔をおいて並ぶ複数の孔部28がそれぞれ形成されている。
【００２５】
左側の側方カバー体24は、機体11のチェーンケース19の後端部に固着されている。右側の側方カバー体24は、機体11のブラケットの後端部に固着されている。
【００２６】
整地体（均平板）25は、カバー体23の後端部に上下方向に回動可能に設けられている。つまり、整地体25の上端部が、カバー体23の後端部に左右方向の軸30を介して回動可能に取り付けられている。整地体25は、図３に示されるように、左右方向に細長い板状で耕耘手段13の後方を覆って整地作業をする整地部である整地本体板部31を有している。
【００２７】
整地本体板部31の上下方向中間部である中央部（略中央部を含む）には、左右方向に間隔をおいて並ぶ複数の孔部32が形成されている。整地本体板部31の下端部には、左右方向に細長い筒状をなす筒状部分33が形成されている。
【００２８】
また、農作業機11は、カバー体23のカバー本体板部27の耕耘手段13側の面である表面27aの少なくとも一部、例えば全部を覆うように、前後の固定手段36によってカバー体23のカバー本体板部27に解除可能（交換可能）に固定された左右方向長手状で板状の土付着防止部材であるステンレス鋼板37と、整地体25の整地本体板部31の耕耘手段13側の面である表面31aの少なくとも一部、例えば下部を覆うように、固定手段38によって整地体25の整地本体板部31に解除可能（交換可能）に固定された左右方向長手状で板状の土付着防止部材であるステンレス鋼板39とを備えている。
【００２９】
つまり、農作業機11は、カバー本体板部27に対応して湾曲板状に形成されカバー体23のカバー本体板部27の表面27aへの土付着を防止するカバー体23側のステンレス鋼板37と、整地本体板部31に対応して湾曲板状に形成され整地体25の整地本体板部31の表面31aへの土付着を防止する整地体25側のステンレス鋼板39とを備えている。
【００３０】
この各ステンレス鋼板37，39は、例えば厚さ寸法が１ｍｍ以上で３ｍｍ以下（好ましくは１．５ｍｍ）の薄板からなるものである。
【００３１】
固定手段36は、例えば頭部41aおよびねじ軸部41bを有するボルト（固定部材）41と、ねじ軸部41bに螺合可能なナット42とにて構成されている。また、固定手段38は、例えば頭部46aおよびねじ軸部46bを有するボルト（固定部材）46と、ねじ軸部46bに螺合可能なナット47と、ねじ軸部46bの外周に装着可能なワッシャ（スプリングワッシャ）48とにて構成されている。
【００３２】
なお、土が付着しにくいステンレス鋼板37，39の覆い手段14への固定に用いられた固定部材であるボルト41，46は、例えば極低頭ボルトで、その頭部41a，46aが薄い円板状に形成されている。この頭部41a，46aの厚さ寸法は、ステンレス鋼板37，39の厚さ寸法と同じ（略同じを含む）である。ボルト41，46の頭部41a，46aの中央部には、六角レンチ用の係合凹部50が形成されている。
【００３３】
ここで、まず、図３ないし図６を参照しつつ、整地体25側のステンレス鋼板39について説明する。
【００３４】
ステンレス鋼板39は、折り返された上端部が固定手段38によって整地体25の整地本体板部31の上下方向中間部の表面31aに解除可能に固定され、かつ、湾曲状に曲げられた断面Ｃ字状の下端部が筒状部分33との嵌合によって整地体25の整地本体板部31の下端部の表面31aに解除可能に固定されている。
【００３５】
ステンレス鋼板39は、１回の１８０度の折り曲げにより形成された折曲板部51と、この折曲板部51と対向して重なって位置する対向板部52と、これら折曲板部51および対向板部52に形成されたボルト挿入用の孔部53とを、ステンレス鋼板39の上端部に有している。
【００３６】
つまり、ステンレス鋼板39の上端側の端部分が、折曲基端55を中心として裏側（内側）に１８０度折り曲げられて折曲板部51となって、対向板部52と互いに重なり合っている。なお、これら折曲板部51と対向板部52とにて、２重板部54が構成されている。
【００３７】
また、折曲板部51の上下方向中間部である中央部（略中央部を含む）には、左右方向に間隔をおいて並ぶ円形状（例えば真円形状）の複数の内孔56が整地体25の整地本体板部31の孔部32に連通するように形成されている。この内孔56の径寸法は、円形状の孔部32の径寸法よりも大きく、円板状の頭部46aの径寸法よりも小さい。
【００３８】
そして、折曲板部51のうち内孔56の周囲に位置する孔周囲部分57が、ボルト46の頭部46aによって、整地本体板部31の表面31aに押し付けられて固定されている。
【００３９】
さらに、対向板部52の上下方向中間部である中央部（略中央部を含む）には、左右方向に間隔をおいて並ぶ円形状（例えば楕円形状）の複数の外孔58が折曲板部51の内孔56に連通するように形成されている。この外孔58の径寸法は、ボルト46の頭部46aの径寸法よりも大きい。
【００４０】
そして、対向板部52の外孔58にボルト46の頭部46aの少なくとも一部、例えば全部が収納されている。つまり、ボルト46は、耕耘手段13側からステンレス鋼板39の孔部53に挿入され、ステンレス鋼板39の耕耘手段13側の面である表面39aから耕耘手段13側へ突出していない。換言すると、ボルト46は、ステンレス鋼板39の表面39aに対して非突出状態となっており、このボルト46の頭部46aの表面がステンレス鋼板39の表面39aと同一面上に位置している。
【００４１】
なお、ボルト挿入用の孔部53は、折曲板部51の内孔56と、対向板部52の外孔58とにて構成されている。また、整地体25の整地本体板部31の表面31aとステンレス鋼板39の耕耘手段13側とは反対側の面である裏面39bとの間には、耕耘整地作業時にステンレス鋼板39の振動を許容する隙間60が、ステンレス鋼板39の上下端部以外の部分（上下の固定部を除く部分）にわたって存在している。
【００４２】
次いで、図２を参照しつつ、カバー体23側のステンレス鋼板37について説明する。
【００４３】
ステンレス鋼板37は、折り返された前端部が固定手段36によってカバー体23のカバー本体板部27の前端部の表面27aに解除可能に固定され、かつ、折り返された後端部が固定手段36によってカバー体23のカバー本体板部27の後端部の表面27aに解除可能に固定されている。
【００４４】
このステンレス鋼板37は、上述した整地体25側のステンレス鋼板39と同様、１回の１８０度の折り曲げにより形成された折曲板部61と、この折曲板部61と対向して重なって位置する対向板部62と、これら折曲板部61および対向板部62に形成されたボルト挿入用の孔部63とを、ステンレス鋼板37の前後端部に有している。
【００４５】
つまり、ステンレス鋼板37の前端側および後端側の各端部分が、折曲基端65を中心として裏側に１８０度折り曲げられて折曲板部61となって、対向板部62と互いに重なり合っている。なお、これら折曲板部61と対向板部62とにて、２重板部64が構成されている。
【００４６】
また、各折曲板部61の前後方向中間部には、左右方向に間隔をおいて並ぶ円形状（例えば真円形状）の複数の内孔66がカバー体23のカバー本体板部27の孔部28に連通するように形成されている。この内孔66の径寸法は、円形状の孔部28の径寸法よりも大きく、円板状の頭部41aの径寸法よりも小さい。
【００４７】
そして、折曲板部61のうち内孔66の周囲に位置する孔周囲部分67が、ボルト41の頭部41aによって、カバー本体板部27の表面27aに押し付けられて固定されている。
【００４８】
さらに、各対向板部62の前後方向中間部には、左右方向に間隔をおいて並ぶ円形状（例えば楕円形状）の複数の外孔68が折曲板部61の内孔66に連通するように形成されている。この外孔68の径寸法は、ボルト41の頭部41aの径寸法よりも大きい。
【００４９】
そして、対向板部62の外孔68にボルト41の頭部41aの少なくとも一部、例えば全部が収納されている。つまり、ボルト41は、上述したボルト46と同様、耕耘手段13側からステンレス鋼板37の孔部63に挿入され、ステンレス鋼板37の耕耘手段13側の面である表面37aから耕耘手段13側へ突出していない。換言すると、ボルト41は、ステンレス鋼板37の表面37aに対して非突出状態となっており、このボルト41の頭部41aの表面はステンレス鋼板37の表面37aと同一面上に位置している。なお、ボルト挿入用の孔部63は、折曲板部61の内孔66と、対向板部62の外孔68とにて構成されている。
【００５０】
また、図１に示されるように、機体12と整地体25との間には、整地体25の接地圧を調整可能な接地圧調整手段69が架設されている。機体12の前部には、耕耘手段13の耕耘深さを調整可能なゲージ輪手段70が設けられている。
【００５１】
次に、農作業機11の作用等を説明する。
【００５２】
トラクタの前進走行によって農作業機11が進行方向（前方）に移動すると、耕耘手段13が所定方向に回転しながら耕耘作業をし、この耕耘手段13の後方では、覆い手段14の整地体25が整地作業をする。
【００５３】
このとき、カバー体23のカバー本体板部27の表面27aの全体がステンレス鋼板37によって覆われているため、その表面27aには土は付着しない。また、整地体25の整地本体板部31の表面31aの下部がステンレス鋼板39によって覆われているため、その表面31aの下部には土は付着しない。
【００５４】
また、例えば図７に示すように、耕耘手段13によって耕耘された土が、ステンレス鋼板39の上端部と整地体25の整地本体板部31との間に形成された段差部分に付着して成長した場合には、作業者は、ステンレス鋼板39の表面39aおよび整地本体板部31の表面31aにわたって付着した土を、鎌等の道具（土落とし具）７を用いて除去する。
【００５５】
この際、ボルト46の頭部46aは、ステンレス鋼板39の孔部53に収納された状態で、ステンレス鋼板39の表面39aから突出していないため、道具７の先端がボルト46の頭部46aに当たらず、ボルト46が土除去作業の邪魔になることはない。
【００５６】
なお、例えば土がカバー体23側のステンレス鋼板37に付着した場合であっても同様に、ボルト41の頭部41aは、ステンレス鋼板37の孔部63に収納された状態で、ステンレス鋼板37の表面37aから突出していないため、道具７の先端がボルト41の頭部41aに当たらず、ボルト41が土除去作業の邪魔になることはない。
【００５７】
そして、このような農作業機11によれば、ボルト41，46がステンレス鋼板37，39の耕耘手段13側の面から突出していないので、ボルト41，46およびステンレス鋼板37，39等への土の付着を抑制できる。
【００５８】
また、耕耘手段13にて耕耘された土がステンレス鋼板37，39の耕耘手段13側の面に付着しても、ボルト41，46が土除去作業の邪魔にならず、土除去作業を容易に行うことができる。
【００５９】
さらに、整地体25とステンレス鋼板39との間にはステンレス鋼板39の振動を許容する隙間60が存在するため、耕耘整地作業時に、小石等がステンレス鋼板39が当たるとその衝撃でステンレス鋼板39が振動し、よって土の付着をより一層適切に抑制できる。
【００６０】
次に、本発明の第２の実施の形態について図８および図９を参照して説明する。
【００６１】
この第２の実施の形態では、整地体25側のステンレス鋼板39の折曲板部51は、複数回、例えば２回の１８０度の折り曲げにより形成されている。つまり、この折曲板部51は、互いに重なった２重の第１板71および第２板72にて構成されている。
【００６２】
折曲板部51の第１板71には、左右方向に間隔をおいて並ぶ円形状の複数の第１内孔73が形成されている。この第１内孔73の径寸法は、整地本体板部31の孔部32の径寸法よりも大きく、ボルト46の頭部46aの径寸法よりも小さい。そして、折曲板部51の第１板71のうち第１内孔73の周囲に位置する孔周囲部分74が、ボルト46の頭部46aによって、整地本体板部31の表面31aに押し付けられて固定されている。
【００６３】
また、折曲板部51の第２板72には、左右方向に間隔をおいて並ぶ円形状の複数の第２内孔75が形成されている。この第２内孔75の径寸法は、対向板部52の外孔58と同じ径寸法で、ボルト46の頭部46aの径寸法よりも大きい。なお、第１内孔73と第２内孔75とにて、折曲板部51の内孔56が構成されている。
【００６４】
そして、折曲板部51の第２板72の第２内孔75にボルト46の頭部46aの少なくとも一部、例えば全部が収納されている。つまり、ボルト46は、耕耘手段13側からステンレス鋼板39の孔部53に挿入され、ステンレス鋼板39の耕耘手段13側の面である表面39aから耕耘手段13側へ突出していない。
【００６５】
なお、例えば図示しないが、カバー体23側のステンレス鋼板37についても同様に、折曲板部61を複数回（例えば２回）の１８０度の折り曲げにより形成してもよい。また、ステンレス鋼板37，39の折り曲げの回数は、例えば３回以上でもよい。
【００６６】
次に、本発明の第３の実施の形態について図１０および図１１を参照して説明する。
【００６７】
この第３の実施の形態では、整地体25側のステンレス鋼板39の対向板部52は、底側が折曲板部51の内孔56に位置するように凹設された円形状の凹状部分81を有し、この凹状部分81に外孔58が形成されている。
【００６８】
そして、凹状部分81のうち外孔58の周囲に位置する孔周囲部分82が、ボルト46の頭部46aによって、整地本体板部31の表面31aに押し付けられて固定されている。
【００６９】
また、ボルト挿入用の孔部53は、折曲板部51の内孔56と、対向板部52の外孔58と、対向板部52の凹状部分81の内側空間81aとにて構成されている。
【００７０】
そして、対向板部52の凹状部分81の内側空間81aにボルト46の頭部46aの少なくとも一部、例えば全部が収納されている。つまり、ボルト46は、耕耘手段13側からステンレス鋼板39の孔部53に挿入され、ステンレス鋼板39の耕耘手段13側の面である表面39aから耕耘手段13側へ突出していない。
【００７１】
なお、例えば図示しないが、カバー体23側のステンレス鋼板37についても同様に、対向板部62が、外孔68を形成した凹状部分81を有するようにしてもよい。また、ボルト41，46の頭部41a，46aと対向板部52，62の凹状部分81とが互いに嵌合するようにしてもよい。
【００７２】
次に、本発明の第４の実施の形態について図１２および図１３を参照して説明する。
【００７３】
この第４の実施の形態では、ステンレス鋼板39を整地体25に固定する固定部材として、皿ボルトからなるボルト46が用いられ、このボルト46の頭部46aが截頭円錐形状に形成されている。また、折曲板部51のうち内孔56に臨んだ面である支持面85が、ボルト46の頭部46aに対応して截頭円錐面状に形成されている。
【００７４】
そして、ボルト（皿ボルト）46の頭部46aの一部が、ステンレス鋼板39の孔部53に収納され、折曲板部51のテーパ状の支持面85によって支持されている。つまり、ボルト46は、耕耘手段13側からステンレス鋼板39の孔部53に挿入され、ステンレス鋼板39の耕耘手段13側の面である表面39aから耕耘手段13側へ突出していない。
【００７５】
なお、例えば図示しないが、カバー体23側のステンレス鋼板37についても同様にして、皿ボルトからなるボルト41でステンレス鋼板37をカバー体23に固定してもよい。また、対向板部52のうち外孔58に臨んだ面（支持面）をボルト46の頭部46aに対応して截頭円錐面状に形成してもよい。
【００７６】
次に、本発明の第５の実施の形態について図１４および図１５を参照して説明する。
【００７７】
前記第４の実施の形態では、内側の板である折曲板部51にサグリ加工を施して皿ボルトで固定する構成について説明したが、第５の実施の形態のように、孔部32の大きさを調整して皿ボルトで固定する構成でもよい。なお、例えば図示しないが、カバー体23側のステンレス鋼板37についても同様にしてもよい。
【００７８】
次に、本発明の第６の実施の形態について図１６および図１７を参照して説明する。
【００７９】
この第６の実施の形態では、整地体25側のステンレス鋼板39の上端側の端部分が、折曲基端55を中心として表側（外側）に１８０度折り曲げられて折曲板部51となって、対向板部52と互いに重なり合っている。つまり、前記第１の実施の形態等とは、折曲板部51の折り曲げる側が逆であり、このため、内孔56が対向板部52に形成され、外孔58が折曲板部51に形成されている。
【００８０】
そして、対向板部52のうち内孔56の周囲に位置する孔周囲部分57が、ボルト46の頭部46aによって、整地本体板部31の表面31aに押し付けられて固定されている。
【００８１】
また、折曲板部51の外孔58にボルト46の頭部46aの少なくとも一部、例えば全部が収納されている。つまりこの第６の実施の形態であっても、ボルト46は、耕耘手段13側からステンレス鋼板39の孔部53に挿入され、ステンレス鋼板39の耕耘手段13側の面である表面39aから耕耘手段13側へ突出していない。
【００８２】
なお、折曲板部51の下端部は、対向板部52の下端部近傍に溶接部86によって固定されており、この溶接部86は、段差解消のために、その表面が傾斜面状に形成されている。また、この第６の実施の形態では、整地本体板部31の表面31aとステンレス鋼板39の裏面39bとの間に振動許容用の隙間60が存在していない。なお、例えば図示しないが、カバー体23側のステンレス鋼板37についても同様にしてもよい。
【００８３】
なお、上記いずれの実施の形態においても、土付着防止部材は、ステンレス鋼板に限定されず、例えば合成樹脂板や、弾性変形可能な弾性板等でもよい。
【００８４】
また、土付着防止部材を固定するための固定部材であるボルトは、極低頭ボルトや皿ボルトに限定されず、例えば通常の六角ボルト等でもよく、また同様に、ボルトに螺合するナットも任意で、袋ナット等でもよい。
【００８５】
なお、固定部材（例えばボルト）が土付着防止部材の耕耘手段側の面から「突出していない」とは、厳密な意味で突出していない場合のほか、略突出していない場合を含む意味である。すなわち、土付着防止部材の耕耘手段側の面からのボルト頭部の突出量が例えば１ｍｍ未満であれば、「突出していない」（土付着防止部材の耕耘手段側の面に対する非突出状態）に含まれる。
【００８６】
さらに、例えばカバー体23のカバー本体板部27の表面27aとステンレス鋼板37の耕耘手段13側とは反対側の面である裏面37bとの間に、耕耘整地作業時にステンレス鋼板37の振動を許容する隙間が、ステンレス鋼板37の前後端部以外の部分（前後の固定部を除く部分）にわたって存在する構成等でもよい。
【００８７】
なお、本発明のいくつかの実施の形態およびその変形例について説明したが、本発明の要旨を逸脱しない範囲で、前記各実施の形態および各変形例を適宜組み合わせることも可能である。
【符号の説明】
【００８８】
11    農作業機
13    耕耘手段
14    覆い手段
25 整地体
37，39    土付着防止部材であるステンレス鋼板
41，46    固定部材であるボルト
51，61    折曲板部
52，62    対向板部
53，63    孔部
56，66    内孔
57，67    孔周囲部分
58，68    外孔
60    隙間
【図１】
0006655917.tif 000002
【図２】
0006655917.tif 000003
【図３】
0006655917.tif 000004
【図４】
0006655917.tif 000005
【図５】
0006655917.tif 000006
【図６】
0006655917.tif 000007
【図７】
0006655917.tif 000008
【図８】
0006655917.tif 000009
【図９】
0006655917.tif 000010
【図１０】
0006655917.tif 000011
【図１１】
0006655917.tif 000012
【図１２】
0006655917.tif 000013
【図１３】
0006655917.tif 000014
【図１４】
0006655917.tif 000015
【図１５】
0006655917.tif 000016
【図１６】
0006655917.tif 000017
【図１７】
0006655917.tif 000018
【図１８】
0006655917.tif 000019